(57)【要約】【課題】ガラスレンズとプラスチックとを適正に配置することにより、安定した光学特性を得ることのできる撮像レンズ系を提供すること。【解決手段】レンズユニット１５０は、レンズホルダ９０の内側に、６群７枚のレンズ構成を有する撮像レンズ系１００を有している。撮像レンズ系１００は、物体側Ｌａより順に配置された第１レンズＬ１、第２レンズＬ２、第３レンズＬ３、絞り５０、第４レンズＬ４、第５レンズＬ５、第６レンズＬ６および第７レンズＬ７からなる。第５レンズＬ５はガラスレンズであり、第２レンズＬ２、第３レンズＬ３、第４レンズＬ４、第６レンズＬ６および第７レンズＬ７はプラスチックレンズである。第６レンズＬ６と第７レンズＬ７とは接合レンズＬ８を構成している。第３レンズＬ３および第４レンズＬ４は各々、フランジ部Ｌ３０、Ｌ４０がホルダ９０に接する状態で位置決めされている。【選択図】図１
2018124358.tif 000002
【特許請求の範囲】
【請求項１】
物体側より順に配置された第１レンズ、第２レンズ、第３レンズ、絞り、第４レンズ、第５レンズ、第６レンズおよび第７レンズからなり、
前記第１レンズは、物体側に凸面を向けた正メニスカスレンズであり、
前記第２レンズは、像側に凹面を向けた負メニスカスレンズであり、
前記第３レンズは、物体側に凹面を向けたメニスカスレンズであり、
前記第４レンズは、像側に凸面を向けた正レンズであり、
前記第５レンズは、正レンズであり、
前記第６レンズは、像側に凹面を向けた負レンズであり、
前記第７レンズは、物体側に凸面を向けた正レンズであり、
前記第５レンズはガラスレンズであり、
前記第２レンズ、前記第３レンズ、前記第４レンズ、前記第６レンズおよび前記第７レンズはプラスチックレンズであり、
前記第６レンズと前記第７レンズは、前記第６レンズの像側の面と前記第７レンズの物体側の面とが接着剤により接合された接合レンズを構成していることを特徴とする撮像レンズ系。
【請求項２】
レンズ系全体のＦ値が以下の条件式
Ｆ≦１．９
を満たすことを特徴とする請求項１に記載の撮像レンズ系。
【請求項３】
レンズ系全体の焦点距離をｆ０とし、
前記第１レンズの物体側の面から撮像素子までの物像間距離をＤとしたとき、物像間距離Ｄは以下の条件式
３＜Ｄ／ｆ０＜４．５
を満たすことを特徴とする請求項１または２に記載の撮像レンズ系。
【請求項４】
前記第６レンズの屈折率をｎ６とし、前記第６レンズのアッベ数をν６としたとき、屈折率ｎ６およびアッベ数ν６は、以下の条件式
ｎ６≧１．６
ν６≦２６
を満たすことを特徴とする請求項１から３までの何れか一項に記載の撮像レンズ系。
【請求項５】
前記第５レンズの焦点距離をｆ５とし、レンズ系全体の有効焦点距離をｆ０としたとき、焦点距離ｆ５および有効焦点距離ｆ０は、以下の条件式
１＜ｆ５／ｆ０＜２
を満たすことを特徴とする請求項１から４までの何れか一項に記載の撮像レンズ系。
【発明の詳細な説明】
【技術分野】
【０００１】
本発明は、自動車等に搭載される撮像レンズ系に関するものである。
【背景技術】
【０００２】
自動車の前方等を確認するいわゆるセンシング用途で使用されるレンズは、前方の障害物、対向車、車線等の識別・認識を行うために、高解像度やより明るい画像が要求されているとともに、安定した温度特性も求められる。そこで、物体側より順に第１レンズ、第２レンズ、第３レンズ、絞り、第４レンズ、第５レンズ、第６レンズおよび第７レンズを配置するとともに、第４レンズと第５レンズとを接合レンズとした構成が提案されている（特許文献１、２、３参照）。また、特許文献１、２、３においては、全てのレンズをガラスレンズとすることが提案されている。
【先行技術文献】
【特許文献】
【０００３】
【特許文献１】特開２０１５−１６９７０７号公報
【特許文献２】特開２０１５−１８０９２６号公報
【特許文献３】特開２０１６−１４２７６７号公報
【発明の概要】
【発明が解決しようとする課題】
【０００４】
ガラスレンズの場合、レンズ面を研磨する必要があることから、レンズ面の径方向外側にフランジ部がない。このため、フランジ部によってレンズの位置決めを行うことが困難である。また、ガラスレンズの場合、レンズ面を研磨する必要があることから、レンズ面の面精度は高いが、レンズの厚みに数十μｍ程度の誤差が発生してしまう。それ故、特許文献１、２、３に記載のレンズ構成のように、絞りに対して像側で隣り合う第４レンズをガラスレンズとした場合、感度の高い第４レンズの位置決め精度の影響やレンズの厚み精度の影響で感度の低下等が発生しやすく、安定した光学特性を得にくいという問題点がある。
【０００５】
以上の問題点に鑑みて、本発明の課題は、ガラスレンズとプラスチックとを適正に配置することにより、安定した光学特性を得ることのできる撮像レンズ系を提供することにある。
【課題を解決するための手段】
【０００６】
上記課題を解決するために、本発明に係る撮像レンズ系は、物体側より順に配置された第１レンズ、第２レンズ、第３レンズ、絞り、第４レンズ、第５レンズ、第６レンズおよび第７レンズからなり、前記第１レンズは、物体側に凸面を向けた正メニスカスレンズであり、前記第２レンズは、像側に凹面を向けた負メニスカスレンズであり、前記第３レンズは、物体側に凹面を向けたメニスカスレンズであり、前記第４レンズは、像側に凸面を向けた正レンズであり、前記第５レンズは、正レンズであり、前記第６レンズは、像側に凹面を向けた負レンズであり、前記第７レンズは、物体側に凸面を向けた正レンズであり、前記第５レンズはガラスレンズであり、前記第２レンズ、前記第３レンズ、前記第４レンズ、前記第６レンズおよび前記第７レンズはプラスチックレンズであり、前記第６レンズと前記第７レンズは、前記第６レンズの像側の面と前記第７レンズの物体側の面とが接着剤により接合された接合レンズを構成していることを特徴とする。
【０００７】
本発明において、プラスチックレンズは、成形により形成されることから、レンズ面の
径方向外側にフランジ部を有している。このため、プラスチックレンズをフランジ部によってレンズホルダに高い精度で位置決めすることができる。また、プラスチックレンズは、成形により形成されることから、レンズの厚みの誤差が小さい。それ故、本発明のように、絞りに対して像側で隣り合う第４レンズをプラスチックとした場合には、感度の高い第４レンズの位置決め精度の影響やレンズの厚み精度の影響による感度の低下等が発生しにくい。また、この場合でも、第５レンズをガラスレンズとしたため、温度特性が安定する。それ故、本発明では、ガラスレンズとプラスチックとを適正に配置することにより、安定した光学特性を得ることができる。また、第６レンズと第７レンズを接合レンズとしたため、色収差等を低減することができる。
【０００８】
本発明において、レンズ系全体のＦ値が以下の条件式
Ｆ≦１．９
を満たすことが好ましい。かかる構成によれば、明るい画像を得ることができる。
【０００９】
本発明において、レンズ系全体の焦点距離をｆ０とし、前記第１レンズの物体側の面から撮像素子までの物像間距離をＤとしたとき、物像間距離Ｄは以下の条件式
３＜Ｄ／ｆ０＜４．５
を満たすことが好ましい。物像間距離Ｄ３／全体の焦点距離ｆ０が３（下限）以下である場合には、レンズのパワーを大きくする必要があるため、球面収差や歪曲収差の補正が難しくなる一方、物像間距離Ｄ３／全体の焦点距離ｆ０が４．５（上限）以上である場合には、レンズ径や全長が大となるので、撮像レンズ系が大型化するという問題が発生する。
【００１０】
本発明において、前記第６レンズの屈折率をｎ６とし、前記第６レンズのアッベ数をν６としたとき、屈折率ｎ６およびアッベ数ν６は、以下の条件式
ｎ６≧１．６
ν６≦２６
を満たすことが好ましい。かかる構成によれば、倍率色収差を低減することができるとともに、物像間距離を短くすることができる。
【００１１】
本発明において、前記第５レンズの焦点距離をｆ５とし、レンズ系全体の有効焦点距離をｆ０としたとき、焦点距離ｆ５および有効焦点距離ｆ０は、以下の条件式
１＜ｆ５／ｆ０＜２
を満たすことが好ましい。焦点距離ｆ５／有効焦点距離ｆ０が１（下限）以下である場合、レンズ径や物像間距離を小さくすることができる一方、像面湾曲、倍率色収差、コマ収差等を低減するのが困難になる。これに対して、焦点距離ｆ５／有効焦点距離ｆ０が２（上限）以上である場合、レンズ径や物像間距離が大になってしまう一方、レンズ径や物像間距離を小とした場合、非点収差、倍率色収差、コマ収差等を低減するのが困難になる。
【発明の効果】
【００１２】
本発明において、プラスチックレンズは、成形により形成されることから、レンズ面の径方向外側にフランジ部を有している。このため、プラスチックレンズをフランジ部によってレンズホルダに高い精度で位置決めすることができる。また、プラスチックレンズは、成形により形成されることから、レンズの厚みの誤差が小さい。それ故、本発明のように、絞りに対して像側で隣り合う第４レンズをプラスチックとした場合には、感度の高い第４レンズの位置決め精度の影響やレンズの厚み精度の影響による感度の低下等が発生しにくい。また、この場合でも、第５レンズをガラスレンズとしたため、温度特性が安定する。それ故、本発明では、ガラスレンズとプラスチックとを適正に配置することにより、安定した光学特性を得ることができる。また、第６レンズと第７レンズを接合レンズとしたため、色収差等を低減することができる。
【図面の簡単な説明】
【００１３】
【図１】本発明を適用した撮像レンズ系の構成を示す説明図である。
【図２】本発明を適用した撮像レンズ系の−４０℃におけるＭＴＦ特性を示すグラフである。
【図３】本発明を適用した撮像レンズ系の＋２５℃におけるＭＴＦ特性を示すグラフである。
【図４】本発明を適用した撮像レンズ系の＋１０５℃におけるＭＴＦ特性を示すグラフである。
【図５】本発明を適用した撮像レンズ系の非点収差およびディストーションを示す説明図である。
【図６】本発明を適用した撮像レンズ系の球面収差を示す説明図である。
【図７】本発明を適用した撮像レンズ系の横収差を示す説明図である。
【発明を実施するための形態】
【００１４】
以下に、図面を参照して、本発明を適用した撮像レンズ系の実施の形態を説明する。なお、以下の説明において、光軸Ｌが延在する方向において物体側にＬａを付し、像側にＬｂを付してある。
【００１５】
（全体構成）
図１は、本発明を適用した撮像レンズ系１００の構成を示す説明図である。表１には、本発明を適用した撮像レンズ系１００のレンズデータを示してある。表２には、撮像レンズ系１００に用いた非球面レンズの非球面の形状を下式（数１）で表した際の非球面係数Ａ4、Ａ6、Ａ8、Ａ10・・が示されている。なお、下式において、サグ量（光軸方向の軸）をＺ、光軸と垂直方向の高さ（光線高さ）をｒ、円錐係数をＫ、中心曲率半径の逆数をｃとしてある。
【００１６】
【数１】
2018124358.tif 000003
【００１７】
また、図１に各面１〜１８を表すにあたって、非球面には「＊」を付してある。また、表１には、各面の中心曲率半径（Radius）、厚さ（Thickness）、屈折率ｎｄ、アッベ数νｄ、半径、円錐係数Ｋ（コーニック（Ｃｏｎｉｃ）係数）、線膨張係数（ＴＣＥ、単位１０−６／℃）が示されており、中心曲率半径、厚さ、および半径の単位はｍｍである。また、レンズ面が物体側Ｌａに向けて突出した凸面あるいは物体側Ｌａに向けて凹んだ凹面である場合には、中心曲率半径を正の値とし、レンズ面が像側Ｌｂに向けて突出した凸面あるいは像側に向けて凹んだ凹面である場合、中心曲率半径を負の値としてある。
【００１８】
【表１】
2018124358.tif 000004
【００１９】
【表２】
2018124358.tif 000005
【００２０】
図１に示すように、本形態のレンズユニット１５０（撮像ユニット）は、撮像レンズ系１００と、撮像レンズ系１００を内側に保持するレンズホルダ９０とを有している。本形態において、撮像レンズ系１００は、水平画角が５２°程度である。
【００２１】
撮像レンズ系１００は、物体側Ｌａから像側Ｌｂに向けて順に配置された第１レンズＬ
１、第２レンズＬ２、第３レンズＬ３、絞り５０、第４レンズＬ４、第５レンズＬ５、第６レンズＬ６、および第７レンズＬ７からなり、第７レンズＬ７に対して像側Ｌｂに平板状の赤外線フィルタ５１、透光性のカバーガラス５２、および撮像素子５５が順に配置されている。また、第２レンズＬ２と第３レンズＬ３との間に円環状の遮光シート５９が配置されている。
【００２２】
撮像レンズ系１００は、レンズ系全体の焦点距離ｆ0（有効焦点距離：Effective Focal
Length）が５．８６ｍｍであり、Ｆ値が１．６であり、物像間距離（Total Track）が２２．５４１ｍｍである。また、撮像レンズ系１００は、垂直画角が４４．２°であり、水平画角が５２．４°である。
【００２３】
なお、遮光シート５９によって第５面５が構成され、絞り５０によって第８面８が構成されている。赤外線フィルタ５１の物体側Ｌａの面５１１によって第１７面１７が構成され、赤外線フィルタ５１の像側Ｌｂの面５１２によって第１８面１８が構成されている。カバーガラス５２の物体側Ｌａの面５２１によって第１９面１９が構成され、カバーガラス５２の像側Ｌｂの面５２２によって第２０面２０が構成されている。撮像素子５５の撮像面５５１によって第２１面２１が構成されている。
【００２４】
（レンズ構成）
第１レンズＬ１は、物体側Ｌａに凸面Ｌ１１（第１面１）を向けた正メニスカスレンズ（正のパワーを有するメニスカスレンズ）であり、像側Ｌｂに凹面Ｌ１２（第２面２）を向けている。第１レンズＬ１は、物体側Ｌａの凸面Ｌ１１（第１面１）、および像側Ｌｂの凹面Ｌ１２（第２面２）が球面である。
【００２５】
第２レンズＬ２は、像側Ｌｂに凹面Ｌ２２（第４面４）を向けた負メニスカスレンズ（負のパワーを有するメニスカスレンズ）であり、物体側Ｌａに凸面Ｌ２１（第３面３）を向けている。第２レンズＬ２は、物体側Ｌａの凸面Ｌ２１（第３面３）および像側Ｌｂの凹面Ｌ２２（第４面４）およびが非球面である。
【００２６】
第３レンズＬ３は、物体側Ｌａに凹面Ｌ３１（第６面６）を向けたメニスカスレンズであり、像側Ｌｂに凸面Ｌ３２（第７面７）を向けている。第３レンズＬ３は、正および負のいずれのパワーを有していてもよいが、本形態において、第３レンズＬ３は負のパワーを有している。第３レンズＬ３は、物体側Ｌａの凹面Ｌ３１（第６面６）および像側Ｌｂの凸面Ｌ３２（第７面７）が非球面である。
【００２７】
第４レンズＬ４は、像側Ｌｂに凸面Ｌ４２（第１０面１０）を向けた正レンズ（正のパワーを有するレンズ）である。第４レンズＬ４において、物体側Ｌａの面は凸面および凹面のいずれであってもよいが、本形態において、第４レンズＬ４の物体側Ｌａの面は凸面Ｌ４１（第９面９）になっている。第４レンズＬ４は、物体側Ｌａの凸面Ｌ４１（第９面９）および像側Ｌｂの凸面Ｌ４２（第１０面１０）が非球面である。
【００２８】
第５レンズＬ５は、正レンズ（正のパワーを有するレンズ）である。本形態において、第５レンズＬ５は、物体側Ｌａに凸面Ｌ５１（第１１面１１）を向け、像側Ｌｂに凸面Ｌ５２（第１２面１２）を向けている。第５レンズＬ５は、物体側Ｌａの凸面Ｌ５１（第１１面１１）および像側Ｌｂの凸面Ｌ５２（第１２面１２）が球面である。
【００２９】
第６レンズＬ６は、像側Ｌｂに凹面Ｌ６２（第１４面１４）を向けた負レンズ（負のパワーを有するレンズ）である。第６レンズＬ６において、物体側Ｌａの面は凸面および凹面のいずれであってもよいが、本形態において、第６レンズＬ６の物体側Ｌａの面は凸面Ｌ６１（第１３面１３）になっている。第６レンズＬ６は、物体側Ｌａの凸面Ｌ６１（第
１３面１３）および像側Ｌｂの凹面Ｌ６２（第１４面１４）が非球面である。
【００３０】
第７レンズＬ７は、物体側Ｌａに凸面Ｌ７１（第１５面１５）を向けた正レンズ（正のパワーを有するレンズ）である。第７レンズＬ７において、像側Ｌｂの面は凸面および凹面のいずれであってもよいが、本形態において、第７レンズＬ７の像側Ｌｂの面は凸面Ｌ７２（第１６面１６）になっている。第７レンズＬ７は、物体側Ｌａの凸面Ｌ７１（第１５面１５）および像側Ｌｂの凸面Ｌ７２（第１６面１６）が非球面である。
【００３１】
第２レンズＬ２、第３レンズＬ３、第４レンズＬ４、第６レンズＬ６および第７レンズＬ７は、アクリル樹脂系、ポリカーボネート系、ポリオレフィン系等からなるプラスチックレンズである。このため、第２レンズＬ２、第３レンズＬ３、第４レンズＬ４、第６レンズＬ６および第７レンズＬ７は、レンズ面の径方向外側にフランジ部Ｌ２０、Ｌ３０、Ｌ４０、Ｌ６０、Ｌ７０を有している。従って、第２レンズＬ２、第３レンズＬ３、第４レンズＬ４、および第６レンズＬ６は、フランジ部Ｌ２０、Ｌ３０、Ｌ４０、Ｌ６０がレンズホルダ９０に接することによって位置決めされている。後述するように、第７レンズＬ７は、第６レンズＬ６と接合レンズＬ８を構成しており、第７レンズＬ７のフランジ部Ｌ７０はレンズホルダ９０に接していない。なお、第７レンズＬ７のフランジ部Ｌ７０がレンズホルダ９０に接する構成であってもよい。
【００３２】
第５レンズＬ５はガラスレンズであり、各種レンズ材料のうち、−４０℃〜＋１２０℃の範囲において屈折率の温度係数がリニアに変化するものが用いられている。また、第５レンズＬ５はガラスレンズであるため、レンズ面の径方向外側にフランジ部を有していない。このため、第５レンズＬ５は、外周側端部が筒状部材９１に保持され、筒状部材９１を介してレンズホルダ９０に保持されている。
【００３３】
第１レンズＬ１は、ガラスレンズおよびプラスチックレンズのいずれであってもよい。本形態において、第１レンズＬ１はガラスレンズである。従って、最も外側に位置する第１レンズＬ１の物体側の凸面（第１面１）が露出している場合でも、第１レンズＬ１に傷がつきにくい。なお、第１レンズＬ１は、ガラスレンズであるため、フランジ部を有していない。
【００３４】
本形態において、第６レンズＬ６と第７レンズＬ７は、第６レンズＬ６の像側Ｌｂの凹面Ｌ６２と第７レンズＬ７の物体側Ｌａの凸面Ｌ７１とが接着剤８０により接合された接合レンズＬ８を構成している。このため、第６レンズＬ６の像側Ｌｂの凹面Ｌ６２と第７レンズＬ７の物体側Ｌａの凸面Ｌ７１とは形状が同一である。また、接着剤８０および第６レンズＬ６の像側Ｌｂの凹面Ｌ６２によって第１４面１４が構成されている。
【００３５】
（レンズの詳細構成）
このように構成した６群７枚の撮像レンズ系１００において、レンズ系全体のＦ値が以下の条件式１
Ｆ≦１．９
を満たしている。本形態において、レンズ系全体のＦ値は１．６である。従って、Ｆ値は上記の条件式１を満たしており、明るい画像を得ることができる。
【００３６】
また、レンズ系全体の焦点距離をｆ０とし、第１レンズＬ１の物体側の面（凸面Ｌ１、第１面１）から撮像素子５５の撮像面５５１（第２１面２１）までの物像間距離をＤとしたとき、物像間距離Ｄは以下の条件式２
３＜Ｄ／ｆ０＜４．５
を満たしている。本形態において、レンズ系全体の焦点距離をｆ０が５．８６ｍｍであり、物像間距離Ｄが２２．５４１ｍｍであり、Ｄ／ｆ０は３．８４７である。従って、Ｄ／
ｆ０は上記の条件式２を満たしており、レンズのパワー、レンズ径および全長を大にしなくてもよい。ここで、＜Ｄ／ｆ０が３（下限）以下である場合には、レンズのパワーを大きくする必要があるため、球面収差や歪曲収差の補正が難しくなる。これに対して、Ｄ３／ｆ０が４．５（上限）以上である場合には、レンズ径や全長が大となるので、撮像レンズ系１００が大型化する。
【００３７】
また、第６レンズＬ６の屈折率をｎ６とし、第６レンズＬ６のアッベ数をν６としたとき、屈折率ｎ６およびアッベ数ν６は、以下の条件式３
ｎ６≧１．６
ν６≦２６
を満たしている。本形態において、屈折率ｎ６は１．６３５５であり、アッベ数ν６は２．９７２である。従って、屈折率ｎ６およびアッベ数ν６は上記条件式３を満たしており、倍率色収差を低減することができるとともに、物像間距離Ｄを短くすることができる。
【００３８】
また、第５レンズＬ５の焦点距離をｆ５とし、レンズ系全体の有効焦点距離をｆ０としたとき、焦点距離ｆ５および有効焦点距離ｆ０は、以下の条件式４
１＜ｆ５／ｆ０＜２
を満たしている。本形態において、第５レンズＬ５の焦点距離ｆ５は、１０．０４９であり、有効焦点距離ｆ０は５．８６であり、ｆ５／ｆ０は１．７１４である。従って、第５レンズＬ５の焦点距離ｆ５、および有効焦点距離ｆ０は上記条件式４を満たしている。物像間距離Ｄを小さくすることができるとともに、像面湾曲、倍率色収差、コマ収差等を低減することができる。ここで、焦点距離ｆ５／有効焦点距離ｆ０が１（下限）以下であ場合、レンズ径や物像間距離Ｄを小さくすることができる一方、像面湾曲、倍率色収差、コマ収差等を低減するのが困難になる。これに対して、焦点距離ｆ５／有効焦点距離ｆ０が２（上限）以上である場合、レンズ径や物像間距離Ｄが大になってしまう。
【００３９】
（ＭＴＦ特性）
図２は、本発明を適用した撮像レンズ系１００の−４０℃におけるＭＴＦ特性を示すグラフである。図３は、本発明を適用した撮像レンズ系１００の＋２５℃におけるＭＴＦ特性を示すグラフである。図４は、本発明を適用した撮像レンズ系１００の＋１０５℃におけるＭＴＦ特性を示すグラフである。なお、図２、図３および図４では、周波数が６０ｌｐ／ｍｍにおけるＭＴＦ特性を示してある。また、図２、図３および図４には、画角０°、７°２１°、２６°、３４°におけるタンジェンシャル（Ｔａｎ：Tangential）方向およびサジタル（Ｓａｇｉ：Sagittal）方向のＭＴＦ特性を示してある。図２、図３および図４では、画角を示す数字の後に、タンジェンシャルを示すＴ、およびサジタルを示すＳを付してある。
【００４０】
図２、図３および図４に示すように、本形態の撮像レンズ系１００は十分な解像度を有するとともに、広い温度範囲にわたって十分な解像度を有する。
（撮像レンズ系１００の収差特性）
図５は、本発明を適用した撮像レンズ系１００の非点収差およびディストーションを示す説明図である。図６は、本発明を適用した撮像レンズ系１００の球面収差を示す説明図である。図７は、本発明を適用した撮像レンズ系１００の横収差を示す説明図である。図５、図６、図７には、波長が６５６ｎｍ、５４６ｎｍ、５８８ｎｍ、４８６ｎｍ、４３６ｎｍにおける各収差を示してあり、図５には、波長を示す数字の後に、タンジェンシャルを示すＴ、およびサジタルを示すＳを付してある。図５に示すディストーションとは、撮像中央部と周辺部における像の変化比率を示し、ディストーションをあらわす数値の絶対値が小さいほど、高精度なレンズといえる。また、図７には、波長が６５６ｎｍ、５４６ｎｍ、５８８ｎｍ、４８６ｎｍ、４３６ｎｍの光に関し、各画角０°、７°、１５°、２１°、２６°、３４°における光軸に直交する２方向（ｙ方向およびｘ方向）の横収差を
纏めて示してある。
【００４１】
図５〜図７に示すように、本形態の撮像レンズ系１００においては、非点収差（ディストーション）、球面収差、および横収差が適正なレベルまで補正されている。
【００４２】
（本形態の主な効果）
以上説明したように、本形態の撮像レンズ系１００は、６群７枚のレンズ構成を有しており、絞り５０に対して像側Ｌｂで隣り合う第４レンズＬ４はプラスチックである。また、絞り５０に対して物体側Ｌａで隣り合う第３レンズＬ３もプラスチックである。かかるプラスチックレンズは、成形により形成されることから、レンズ面の径方向外側にフランジ部Ｌ３０、Ｌ４０を有している。このため、第３レンズＬ３および第４レンズＬ４をフランジ部Ｌ３０、Ｌ４０によってレンズホルダ９０に高い精度で位置決めすることができる。また、プラスチックレンズは、成形により形成されることから、レンズの厚みの誤差が小さい。それ故、本形態のように、絞り５０に対して隣り合う第３レンズＬ３および第４レンズＬ４をプラスチックとした場合には、感度の高い第３レンズＬ３および第４レンズＬ４の位置決め精度の影響やレンズの厚み精度の影響による感度の低下等が発生しにくい。この場合でも、絞り５０に対して像側Ｌｂにおいては、第５レンズＬ５をガラスレンズとしたため、温度変化に伴う画角変化が小さい等、撮像レンズ系１００の温度特性が安定する。それ故、本形態では、ガラスレンズとプラスチックとを適正に配置したため、安定した光学特性を得ることができる。
【００４３】
また、第６レンズＬ６と第７レンズＬ７を接合レンズとしたため、色収差等を低減することができる。また、第２レンズＬ２、第３レンズＬ３、第４レンズＬ４、第６レンズＬ６および第７レンズＬ７に非球面レンズを用いたため、球面収差を低減することができる。
【００４４】
また、本形態の撮像レンズ系１００は、上記の条件式１、２、３を満たすため、レンズのパワー、レンズ径および全長を過度に大にしなくてもよい等の利点を有する。
【００４５】
［他の実施の形態］
上記実施の形態において、第１レンズＬ１はガラスレンズであったが、第１レンズＬ１がプラスチックレンズである場合に本発明を適用してもよい。
【符号の説明】
【００４６】
Ｌ１…第１レンズ、Ｌ２…第２レンズ、Ｌ３…第３レンズ、Ｌ４…第４レンズ、Ｌ５…第５レンズ、Ｌ６…第６レンズ、Ｌ７…第７レンズ、Ｌ８…接合レンズ、Ｌａ…物体側、Ｌｂ…像側、５０…絞り、５５…撮像素子、８０…接着剤、９０…レンズホルダ、１００…撮像レンズ系、１５０…レンズユニット
【図１】
2018124358.tif 000006
【図２】
2018124358.tif 000007
【図３】
2018124358.tif 000008
【図４】
2018124358.tif 000009
【図５】
2018124358.tif 000010
【図６】
2018124358.tif 000011
【図７】
2018124358.tif 000012